(57)【要約】【課題】先行配信番組、本放送番組の差異をユーザに通知することによって、ユーザが番組をどの順番で視聴すべきかの判断をできるようにする。【解決手段】放送信号を介して送信される本放送番組よりも先行してインターネット回線を介して配信され、当該本放送番組と関連付けられた先行配信番組の番組情報を取得する第１の取得手段と、本放送番組の番組情報を取得する第２の取得手段と、第１の取得手段によって取得された番組情報と第２の取得手段によって取得された番組情報とを基に、先行配信番組と本放送番組との差異を判定する判定手段と、判定手段による判定の結果に基づき、先行配信番組と本放送番組との差異がある場合は、先行配信番組と本放送番組との差異を示す差異情報をユーザに対し通知する通知手段と、を有する。【選択図】図２
2010109487.tif 000002
【特許請求の範囲】
【請求項１】
放送信号を介して送信される本放送番組よりも先行してインターネット回線を介して配信される、当該本放送番組と関連付けられた先行配信番組の番組情報を取得する第１の取得手段と、
前記本放送番組の番組情報を取得する第２の取得手段と、
前記第１の取得手段によって取得された番組情報と前記第２の取得手段によって取得された番組情報とを基に、前記先行配信番組と前記本放送番組との差異を判定する判定手段と、
前記判定手段による判定の結果に基づき、前記先行配信番組と前記本放送番組との差異がある場合は、前記先行配信番組と前記本放送番組との差異を示す差異情報をユーザに対し通知する通知手段と、
を有することを特徴とするデジタル放送受信装置。
【請求項２】
ユーザの操作に応じて、インターネット回線を介して配信される前記先行配信番組を再生する再生制御手段、を更に備え、
前記通知手段は、前記再生制御手段により前記先行配信番組が再生済みである場合に、前記本放送番組の視聴時に前記差異情報をユーザに対し通知することを特徴とする請求項１に記載のデジタル放送受信装置。
【請求項３】
ユーザの操作に応じて、インターネット回線を介して配信される前記先行配信番組を再生する再生制御手段、を更に備え、
前記通知手段は、前記再生制御手段により前記先行配信番組が再生されるときに、前記差異情報をユーザに対して通知することを特徴とする請求項１に記載のデジタル放送受信装置。
【請求項４】
ユーザの操作に応じて、前記本放送番組の番組情報を表示する表示制御手段、を更に備え、
前記通知手段は、前記表示制御手段により前記本放送番組の番組情報を表示するときに、前記差異情報をユーザに対して通知することを特徴とする請求項１に記載のデジタル放送受信装置。
【請求項５】
前記通知手段は、
前記本放送番組および前記先行配信番組のうち少なくとも一方の番組の予約が行われるときに、前記差異情報をユーザに対し通知する、
ことを特徴とする請求項１に記載のデジタル放送受信装置。
【請求項６】
前記通知手段は、
前記本放送番組および前記先行配信番組のうち少なくとも一方の番組の予約が削除されるときに、前記差異情報をユーザに対し通知することを特徴とする請求項１に記載のデジタル放送受信装置。
【請求項７】
前記判定手段は、映像に関するエレメンタリストリーム、音声に関するエレメンタリストリーム、データに関するエレメンタリストリーム、番組の課金サービス、番組に付随するサービス、番組に連動するデータ放送、字幕サービス、画質、音質、の各要素のうち、少なくとも１つの要素に関する前記先行配信番組と前記本放送番組との差異を判定する、
ことを特徴とする請求項１〜６のいずれか１項に記載のデジタル放送受信装置。
【請求項８】
前記第１の取得手段および前記第２の取得手段は、それぞれ前記放送信号を介して送信される前記本放送番組の番組情報および前記先行配信番組の番組情報を取得することを特徴とする請求項１〜７のいずれか一項に記載のデジタル放送受信装置。
【請求項９】
ユーザの操作に応じて、インターネット回線を介して配信される前記先行配信番組を再生する再生制御手段、を更に備え、
前記通知手段は、前記再生制御手段により再生されていないシーンが前記本放送番組に含まれている場合に、前記再生されていないシーンが存在する旨をユーザに対して通知することを特徴とする請求項１に記載のデジタル放送受信装置。
【請求項１０】
放送信号を介して送信される本放送番組よりも先行してインターネット回線を介して配信される、当該本放送番組と関連付けられた先行配信番組の番組情報を取得する第１の取得ステップと、
前記本放送番組の番組情報を取得する第２の取得ステップと、
前記第１の取得ステップによって取得された番組情報と前記第２の取得ステップによって取得された番組情報とを基に、前記先行配信番組と前記本放送番組との差異を判定する判定ステップと、
前記判定ステップによる判定の結果に基づき、前記先行配信番組と前記本放送番組との差異がある場合は、前記先行配信番組と前記本放送番組との差異を示す差異情報をユーザに対し通知する通知ステップと、
を有することを特徴とするデジタル放送受信方法。
【発明の詳細な説明】
【技術分野】
【０００１】
本発明は、デジタル放送受信装置及びデジタル放送受信方法に関するものである。
【背景技術】
【０００２】
デジタル放送の開始に伴い、デジタル放送を受信可能なデジタルテレビが普及している。この種のデジタルテレビにはネットワーク端子を有し、ネットワーク端子をインターネットに接続することで、インターネットで配信される様々な映像コンテンツを視聴できるようにする機能を搭載したものがある。このような機能は、ＶＯＤ（Ｖｉｄｅｏ  Ｏｎ  Ｄｅｍａｎｄ（ビデオ・オン・デマンド））と呼ばれている。また、デジタル放送では、放送電波に電子番組ガイドあるいは電子番組表（ＥＰＧ：Ｅｌｅｃｔｒｏｎｉｃ  Ｐｒｏｇｒａｍ  Ｇｕｉｄｅ）の情報が含まれており、この情報を取得して画面に表示させるＥＰＧ機能を搭載したデジタルテレビも知られている。さらに、近年では、インターネットに接続されたパソコンや携帯機器に対し、ＣＤやゲームソフトウェアの発売に先立ってこれらのデータを配信するサービスが試みられている。
【０００３】
ここで、提供日時が決められているテレビ番組などのようなコンテンツデータを、提供日時の前後にユーザに提供する装置（特許文献１）が知られている。また、先行配信に関する先行技術としては、先行配信番組と紐付けられている通常の放送番組（本放送番組）の放送前に、電子番組表に先行配信番組の提供予定が有る旨を表示する方法がある（特許文献２）。
【特許文献１】特開２００２−０５６２０３号公報
【特許文献２】特開２００３−０８７７５１号公報
【発明の開示】
【発明が解決しようとする課題】
【０００４】
ところで、デジタル放送において次のような先行配信サービスを想定してみる。例えば、本放送番組を放送する前に、インターネットのストリーミングサイトから本放送番組を紹介する先行配信番組を配信するサービスである。
先行配信番組がユーザに本放送番組を紹介するための番組である場合は、画像品質を必ずしも放送番組と同等とする必要はなく、また、不要なサービスを付加する必要がないが、本放送番組を視聴するユーザに対しては付加価値の高いサービスを提供する必要がある。
【０００５】
例えば、先行配信番組の画質を標準画質（ＳＤ：Ｓｔａｎｄａｒｄ  Ｄｅｆｉｎｉｔｉｏｎ）とする場合、本放送番組の画質をハイビジョン（ＨＤ：Ｈｉｇｈ  Ｄｅｆｉｎｉｔｉｏｎ）として、先行配信番組との差別化を図ることが想定される。また、字幕サービス、連動データ放送サービスや本放送番組と同時に視聴可能なコンテンツを配信し、リアルタイムに楽しめるようにすることで、先行配信番組との差別化を図ることが想定される。
【０００６】
しかし、デジタル放送及びこれを受信するデジタル受信装置において、先行配信番組と本放送番組との内容に関して差異を明確に通知する技術が存在しない。このため、ユーザは、先行配信番組を視聴すべきか、先行配信番組を視聴せずに本放送番組を視聴すべきか、又は、先行配信番組の視聴後に、本放送番組を視聴すべきかについて判断することが難しいという問題がある。
【０００７】
本発明は、先行配信番組と本放送番組との差異をユーザが認識できるようにすることを目的とする。
【課題を解決するための手段】
【０００８】
前記目的を達成するため、本発明のデジタル放送受信装置は、  放送信号を介して送信される本放送番組よりも先行してインターネット回線を介して配信される、当該本放送番組と関連付けられた先行配信番組の番組情報を取得する第１の取得手段と、本放送番組の番組情報を取得する第２の取得手段と、第１の取得手段によって取得された番組情報と第２の取得手段によって取得された番組情報とを基に、先行配信番組と本放送番組との差異を判定する判定手段と、判定手段による判定の結果に基づき、先行配信番組と本放送番組との差異がある場合は、先行配信番組と本放送番組との差異を示す差異情報をユーザに対し通知する通知手段と、を有することを特徴とする。
【０００９】
本発明のデジタル放送受信方法は、放送信号を介して送信される本放送番組よりも先行してインターネット回線を介して配信される、当該本放送番組と関連付けられた先行配信番組の番組情報を取得する第１の取得ステップと、本放送番組の番組情報を取得する第２の取得ステップと、第１の取得ステップによって取得された番組情報と第２の取得ステップによって取得された番組情報とを基に、先行配信番組と本放送番組との差異を判定する判定ステップと、判定ステップによる判定の結果に基づき、先行配信番組と本放送番組との差異がある場合は、先行配信番組と本放送番組との差異を示す差異情報をユーザに対し通知する通知ステップと、を有することを特徴とする。
【発明の効果】
【００１０】
本発明によれば、先行配信番組の番組情報と本放送番組の番組情報とに基づいて、先行配信番組と本放送番組との差異をユーザに通知することにより、ユーザの利便性を向上することができる。
【発明を実施するための最良の形態】
【００１１】
以下、本発明を実施するための最良の形態について図面等を参照して説明する。
（第１実施形態）
図１は、第１実施形態に係るデジタル放送受信装置の接続形態を示している。図１に示すように、デジタル放送受信装置１００は、イーサネット（登録商標）１０１を介してコンピュータ、プリンタなど各機器１０２と接続され、互いに通信が可能な状態となっている。また、デジタル放送受信装置１００は、イーサネット（登録商標）１０１、およびルータ１０３を介してインターネット１０４への接続が可能である。
【００１２】
図２は、第１実施形態に係るデジタル放送受信装置の機能構成を示している。デジタル放送受信装置１００は、テレビ基本機能を有しているとともに、テレビ拡張機能としてのＶＯＤ再生機能を有している。換言すれば、デジタル放送受信装置１００は、ＶＯＤによる先行配信番組を受信するとともに、放送信号に多重して送信される本放送番組を受信することができる。
【００１３】
このデジタル放送受信装置１００は、テレビ基本機能部、ＶＯＤ再生機能部、および番組情報処理部を備えている。
テレビ基本機能部は、テレビ基本機能を有するものであり、アンテナ２００、チューナ部２０１、デスクランブラ２０２、データ分離部２０３、音声デコード部２０４、映像デコード部２０５、番組情報デコード部２０６を備えている。テレビ基本機能部はまた、映像処理部２０７、音声制御部２０８、ＵＩ画面構成部２０９、表示制御部２１０、音声出力部２１１、映像出力部２１２、システム制御部２２３、受光部２２７を備えている。テレビ基本機能部はさらに、選局制御部２２０、時間管理部２２１、メモリ管理部２２４、およびデータ放送制御部２２５を備えている。
【００１４】
アンテナ２００は、デジタル放送による放送電波（デジタル放送信号）を受信する。アンテナ２００により受信された信号（デジタル放送信号）は、チューナ部２０１に入力される。なお、このデジタル放送信号は、機密保持のためにスクランブル処理（暗号化処理）が施されている。
【００１５】
チューナ部２０１は、入力された信号に対して復調、誤り訂正等の処理を施し、トランスポートストリームデータ（以下「ＴＳ」という。）を生成するとともに、この生成したＴＳをデスクランブラ２０２へ出力する。
デスクランブラ２０２は、チューナ部２０１からのＴＳに対しデスクランブル処理を施し（暗号化を無効化する、つまり復元する）、この処理の結果（多重化されたＴＳ）をデータ分離部２０３へ出力する。
【００１６】
データ分離部２０３は、ユーザがリモコン２２６を操作することによって選択された番組に関する情報を、受光部２２７、およびシステム制御部２２３を介して取得する。また、デスクランブラ２０２から入力された複数のチャンネル分の映像、音声データ、及び番組情報データ等が時分割多重されているＴＳの中から、選択された番組の音声データ、映像データ、および番組情報データを取り出す。そして、それぞれを音声デコード部２０４、映像デコード部２０５、および番組情報デコード部２０６へ出力する。
【００１７】
音声デコード部２０４は、データ分離部２０３から入力された音声データに対して復号化処理を施すとともに、この復号した音声データを音声制御部２０８へ出力する。
映像デコード部２０５は、データ分離部２０３から入力された映像データに対してＭＰＥＧ（Ｍｏｖｉｎｇ  Ｐｉｃｔｕｒｅ  Ｅｘｐｅｒｔｓ  Ｇｒｏｕｐ：動画像圧縮符号化）等の復号化処理を施し、この復号した映像データを映像処理部２０７へ出力する。
【００１８】
番組情報デコード部２０６は、データ分離部２０３から入力された番組情報データから所望の情報を取得し、映像処理部２０７、ＵＩ（Ｕｓｅｒ  Ｉｎｔｅｒｆａｃｅ）画面構成部２０９、及び表示制御部２１０へ出力する。
番組情報データには、主に、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＴＯＴ（Ｔｉｍｅ  Ｏｆｆｓｅｔ  Ｔａｂｌｅ）等のデータが含まれている。
【００１９】
ＳＤＴには、放送チャンネルに相当するサービス名、サービス提供者等の情報が含まれている。ＥＩＴには、番組に相当するイベント名、イベントの開始時刻、継続時間等に関する情報が含まれている。ＴＯＴには、現在の日付時刻に関する情報が含まれている。
映像処理部２０７は、映像デコード部２０５から入力された映像データと、番組情報デコード部２０６から入力された番組情報とに基づいて映像調整処理を施し、調整した映像データを表示制御部２１０へ出力する。
【００２０】
音声制御部２０８は、音声データに対して、Ｄ／Ａ（Ｄｉｇｉｔａｌ／Ａｎａｌｏｇ）変換処理等を施し、このＤ／Ａ変換処理の結果であるアナログの音声データを音声出力部２１１へ出力する。
ＵＩ画面構成部２０９は、番組情報デコード部２０６から入力された番組情報データに基づいて、ＥＰＧ（Ｅｌｅｃｔｒｏｎｉｃ  Ｐｒｏｇｒａｍ  Ｇｕｉｄｅ：電子番組ガイドあるいは電子番組表）などを構成し、これらを表示制御部２１０へ出力する。
【００２１】
表示制御部２１０は、映像処理部２０７から入力された映像データや、ＵＩ画面構成部２０９から入力された画面データを、リモコン２２６からの操作情報に応じて切り替える処理や、合成する処理など、表示にかかわる所定の処理を施す。また、これらの処理を施した結果のデータを映像出力部２１２へ出力する。
音声出力部２１１は、音声制御部２０８からの音声データを出力する。
映像出力部２１２は、表示制御部２１０からのデータを、表示解像度、表示色数、リフレッシュレートに適した表示データ、タイミングに変換して出力表示する。
【００２２】
システム制御部２２３は、各構成要素を統括的にコントロールする。
受光部２２７は、ユーザによるリモコン２２６の操作に応じてこのリモコン２２６から出力される操作情報（番組）や制御情報を受信して、システム制御部２２３に与える。
選局制御部２２０は、選局に係わる制御を行う。時間管理部２２１は、現在時刻情報や番組の放送時刻情報等の各種時間に係る情報を管理する。メモリ管理部２２４は、ＶＯＤコンテンツデータを一時的に蓄えるバッファーメモリを管理する。データ放送制御部２２５は、データ放送の受信に係る制御を行う。ＶＯＤ再生機能部２０は、テレビ拡張機能としてのＶＯＤ再生機能を有するものであり、通信制御部２３０、およびＶＯＤ再生制御部２３２を備えている。
【００２３】
通信制御部２３０は、インターネット回線を介した通信を制御する。デジタル放送受信装置１００は通信制御部２３０を介してインターネットに接続される。
ＶＯＤ再生制御部２３２は、通信制御部２３０を介して、インターネット上のＶＯＤサーバから所望のＶＯＤコンテンツデータを取得する。また、ＶＯＤ再生制御部２３２は、通信制御部２３０を介してインターネットで配信されるＶＯＤコンテンツデータを受信する。そして、デジタル放送受信装置１００に備えるバッファーメモリ（図示せず）に蓄えながら、デコード部（映像デコード部２０５および音声デコード部２０４）に出力するストリーミング制御を行う。
【００２４】
上記デコード部に出力されたＶＯＤコンテンツデータは、表示制御部２１０および音声制御部２０８を経由して、それぞれ映像出力部２１２および音声出力部２１１へ出力される。その結果、ユーザは、ＶＯＤコンテンツをデジタル放送受信装置１００の映像出力部２１２および音声出力部２１１から出力される出力内容を視聴することができる。
【００２５】
番組情報処理部は、本放送番組の番組情報を取得する。続いて、この本放送番組よりも先行して配信する先行配信番組の番組情報を取得して、本放送番組と先行配信番組との差異があるか否かを判定する。そして、判定結果に基づいて差異情報をユーザに対して通知する処理を制御する。先行配信番組は、本放送番組に紐付け（リンク）によって関連付けられた番組であり、本放送番組を紹介するための番組である。
【００２６】
図３は、第１実施形態において、先行配信番組と本放送番組との時間的な関係を示す。同図に示すように、本放送番組（番組Ａ）に紐付けられた先行配信番組は、本放送番組（番組Ａ）よりも先に配信される。
【００２７】
本実施形態では、先行配信番組と本放送番組と差異の内容として次の（１）〜（６）が挙げられる。
（１）切換え可能な字幕サービスについて異なる。
（２）切換え可能な映像ＥＳ（Ｅｌｅｍｅｎｔａｒｙ  Ｓｔｒｅａｍ：エレメンタリストリーム）、音声ＥＳ（エレメンタリストリーム）、音声多重などについて異なる。
（３）画質、音質が異なる。
（４）双方向通信などによる番組に付随するサービスが異なる。
（５）連動するデータ放送内容（サービス）が異なる。
（６）課金によるサービスが異なる。
【００２８】
ここで、先行配信番組と本放送番組との番組内容の差異（異なる箇所）は、先行配信番組に対して本放送番組を差別化する事項となる。従って、差別化のために他の設定事項を必要に応じて加えるようにしてもよい。
【００２９】
図２に示すように、番組情報処理部は、番組情報提供部２３１、先行配信番組制御部２３３、番組差異情報判定部２３４、放送番組情報取得部２３５、および差異情報通知制御部２３６を備える。
【００３０】
放送番組情報取得部２３５は、図４に示すように、放送番組情報取得部４０１と放送番組情報記憶部４０２とを有している。
放送番組情報取得部４０１は、放送番組の番組情報の取得処理を制御し放送番組の番組情報を取得するとともに、この取得した放送番組の番組情報を放送番組情報記憶部４０２に記憶する。放送番組情報記憶部４０２に記憶された番組情報は、ＥＰＧ（電子番組ガイドあるいは電子番組表）表示などにも利用される。
【００３１】
先行配信番組制御部２３３は、図５に示すように、先行配信番組検出部５０１と、先行配信番組情報取得部５０２と、先行配信番組情報記憶部５０３と、先行配信番組視聴履歴制御部５０４とを有している。
【００３２】
先行配信番組検出部５０１は、取得された放送番組の番組情報の中に記述されている、この放送番組に紐付けられた先行配信番組の番組情報の内容を基に、先行配信番組の検出を行う。
先行配信番組情報取得部５０２は、先行配信番組検出部５０１の検出によって放送番組に紐付けられた先行配信番組が存在する場合、この先行配信番組の番組についての記述内容に基づき、この先行配信番組の番組情報を取得する。
【００３３】
先行配信番組情報取得部５０２は、この取得した先行配信番組の番組情報に、紐付け元の本放送番組の番組識別情報を付加する。そして、この番組識別情報（紐付け元放送番組識別情報）を付加した先行配信番組の番組情報を、先行配信番組情報記憶部５０３に記憶する。
先行配信番組情報取得部５０２は、放送番組情報記憶部４０２に記憶され、放送番組に紐付けられている先行配信番組の番組情報についての記述内容に情報を追加して記述内容を更新する。この場合は、上記先行配信番組の番組情報が先行配信番組情報記憶部５０３に記憶済みであるという情報を追加する。
【００３４】
先行配信番組情報記憶部５０３は、紐付け元の本放送番組の番組識別情報が付加され、放送番組に紐付けられた先行配信番組の番組情報を記憶する。
先行配信番組視聴履歴制御部５０４は、先行配信番組が再生された場合、先行配信番組情報記憶部５０３内の再生されたこの先行配信番組の番組情報を取得する。
【００３５】
番組情報提供部２３１は、図８に示すように、本放送番組情報提供部８０１と先行配信番組情報提供部８０２とを有している。
本放送番組情報提供部８０１は、放送番組情報取得部２３５の放送番組情報記憶部４０２から所望の放送番組の番組情報を読み出すとともに、この読み出した所望の放送番組の番組情報を番組差異情報判定部２３４に提供する。この放送番組の番組情報の中には、この放送番組に、紐付け（リンク）によって関連付けられている先行配信番組についての記述が含まれる。
【００３６】
先行配信番組情報提供部８０２は、先行配信番組制御部２３３の先行配信番組情報記憶部５０３から所望の先行配信番組の番組情報を読み出す。そして、この読み出した所望の先行配信番組の番組情報を、番組差異情報判定部２３４に提供する。この場合、先行配信番組情報提供部８０２は、先行配信番組情報記憶部５０３に記憶されている紐付け元放送番組識別情報を基に、この先行配信番組にかかる紐付け元の本放送番組の番組情報を、番組差異情報判定部２３４に提供することも可能である。
【００３７】
番組差異情報判定部２３４について、再度図２を参照して説明する。番組差異情報判定部２３４は、番組情報提供部２３１から提供される先行配信番組に紐付けられている本放送番組の番組情報、および先行配信番組の番組情報を取得する。この後、番組差異情報判定部２３４は、先行配信番組の番組情報と本放送番組の番組情報とを比較し、この比較した結果を基に、先行配信番組の番組情報と本放送番組の番組情報との差異の結果と差異の内容とを、差異情報として出力する。
【００３８】
差異情報通知制御部２３６は、図２３に示すように、差異情報通知設定部１８０１と、通知タイミング決定部１８０２と、差異情報通知判定部１８０３と、差異情報通知部１８０４と、を有している。
差異情報通知設定部１８０１は、差異を通知するか否かを示す旨、または差異の有無及び差異内容を通知するか否かを示す旨を設定する。差異情報通知設定部１８０１は、設定した内容を差異情報通知設定情報として通知タイミング決定部１８０２に出力する。
【００３９】
通知タイミング決定部１８０２は、差異情報通知設定部１８０１からの差異情報通知設定情報を取得した後、取得した差異情報通知設定情報を基に、先行配信番組の番組情報と本放送番組の番組情報との差異を示す差異情報を通知するタイミングを決定する。通知タイミング決定部１８０２は、決定したタイミングをタイミング情報として差異情報通知判定部１８０３に出力する。この場合、通知タイミング決定部１８０２は、タイミングを、本放送番組の視聴時、先行配信番組の視聴時、本放送番組や先行配信番組の番組情報の表示時、またはＥＰＧの表示時に決定すると好ましい。
【００４０】
差異情報通知判定部１８０３は、先行配信番組情報提供部８０２からの先行配信番組の番組情報の取得、本放送番組情報提供部８０１からの本放送番組の番組情報の取得、番組差異情報判定部２３４からの差異情報をそれぞれ取得する。差異情報通知判定部１８０３は、取得された差異情報を差異情報通知部１８０４に出力する。差異情報通知部１８０４は、差異情報通知判定部１８０３から出力された差異情報の表示通知処理を行う。
【００４１】
このように、先行配信番組制御部２３３の先行配信番組情報取得部５０２が第１の取得手段としての機能を有し、放送番組情報取得部２３５の放送番組情報取得部４０１が、第２の取得手段の機能を有する。また、番組差異情報判定部２３４が、判定手段の機能を有し、差異情報通知制御部２３６の差異情報通知部１８０４が通知手段の機能を有する。
【００４２】
例えば、差異情報通知部１８０４は、本放送番組の視聴が予定されているときは、判定手段（番組差異情報判定部２３４）による判定の結果に基づいて先行配信番組と本放送番組との差異を示す差異情報をユーザに対して通知する。また、差異情報通知部１８０４は、先行配信番組の再生（視聴）が予定されるときは、判定手段（番組差異情報判定部２３４）の判定の結果に基づいて差異情報をユーザに対し通知する。さらに、本放送番組の番組情報、先行配信番組の番組情報、および電子番組表情報のうち少なくとも１つの情報が表示されるときは、差異情報通知部１８０４は、判定手段（番組差異情報判定部２３４）による判定の結果に基づき、差異情報をユーザに対し通知する。
【００４３】
一方、デジタル放送受信装置１００は、上述したテレビ基本機能およびテレビ拡張機能としてのＶＯＤ再生機能（視聴機能）に加え、次の（１）〜（６）の機能を有する。
【００４４】
（１）放送番組の番組情報取得機能
デジタル放送受信装置１００の「放送番組の番組情報取得機能」について、図２および図４を参照して説明する。
【００４５】
図２において、アンテナ２００によって受信された信号がチューナ部２０１に入力されると、チューナ部２０１は、取得した信号に対して復調、誤り訂正等の処理を施しＴＳ（トランスポートストリームデータ）を生成してデスクランブラ２０２へ出力する。デスクランブラ２０２は、ＴＳに対しデスクランブル処理を施し、多重化されたＴＳをデータ分離部２０３へ出力する。データ分離部２０３は、多重化されたＴＳから番組情報を取り出して番組情報デコード部２０６へ出力する。番組情報デコード部２０６は、取得した番組情報をデコードする。
【００４６】
番組情報デコード部２０６から出力される番組情報データ（ＰＳＩ（Ｐｒｏｇｒａｍ  Ｓｐｅｃｉｆｉｃ  Ｉｎｆｏｒｍａｔｉｏｎ：番組特定情報）／ＳＩ（Ｓｅｒｖｉｃｅ  Ｉｎｆｏｒｍａｔｉｏｎ：番組配列情報））にはＥＩＴが含まれる。ＥＩＴには、番組に相当するイベント名（番組タイトル）や、イベント開始時刻、イベント継続時間、番組の画質や音質に関する情報などが含まれる。またＴＳに含まれるＰＭＴ（Ｐｒｏｇｒａｍ  Ｍａｐ  Ｔａｂｌｅ）には、字幕に関する情報、ＥＳ（エレメンタリストリーム）の情報、番組に連動するデータ放送の情報などが含まれる。このように放送番組の番組情報の取得処理が実施される。
そして、図４に示す放送番組情報取得部２３５では、放送番組情報取得部（格納手段）４０１が、上述した放送番組の番組情報の取得処理を制御して放送番組の番組情報を取得するとともに、この取得した放送番組の番組情報を放送番組情報記憶部４０２に記憶する。放送番組情報記憶部４０２に記憶された番組情報は、ＥＰＧ表示などにも利用される。
【００４７】
（２）放送番組に紐付けられている先行配信番組の取得機能および記憶機能
デジタル放送受信装置１００の「放送番組に紐付けられている先行配信番組の取得機能および記憶機能」について、図４乃至図７を参照して説明する。
デジタル放送受信装置１００において、図４に示す放送番組情報取得部２３５では、放送番組情報取得部４０１は、上述した「放送番組の番組情報取得機能」により、図６に示すように、常時、放送番組の番組情報を取得する（ステップＳ６０１）。そして、放送番組情報取得部４０１は、この取得した放送番組の番組情報を放送番組情報記憶部４０２に記憶するとともに、最新の放送番組の番組情報が記憶されるべく放送番組情報記憶部４０２の記憶内容を更新する。
【００４８】
放送番組情報記憶部４０２に記憶されたそれぞれの放送番組について、先行配信番組が存在するか否かは、上記取得された放送番組の番組情報の中に、この放送番組に紐付けられた先行配信番組に関する情報が記載されているか否かに応じて決定される。上記取得された放送番組の番組情報の中に先行配信番組に関する情報が記載されている場合は、先行配信番組が存在することになる。
【００４９】
例えば、上記取得された放送番組についての参照情報として、この放送番組の番組情報にリンク記述子が挿入される。このリンク記述子には、放送番組に紐付けられた先行配信番組の番組情報についての、先行配信番組に関する情報、例えば配信元サーバのＵＲＬ（Ｕｎｉｆｏｒｍ  Ｒｅｓｏｕｒｃｅ  Ｌｏｃａｔｏｒ）、配信開始時刻、配信継続時間、などが記載される。
【００５０】
図５に示す先行配信番組制御部２３３では、先行配信番組検出部５０１は、図６に示すように、放送番組情報記憶部４０２に記憶されている放送番組に紐付けられた先行配信番組の番組情報についてのリンク記述子を参照する（ステップＳ６０２）。この後、先行配信番組検出部５０１は、参照した結果に基づいて、先行配信番組の検出を行い、先行配信番組の番組情報についての記述が存在するか否かを判断する（ステップＳ６０３）。
【００５１】
先行配信番組検出部５０１は、ステップＳ６０３において、放送番組に紐付けられた先行配信番組が存在しないと判断した場合は、この処理を終了する。また、放送番組に紐付けられた先行配信番組が存在すると判断した場合は、その旨（この先行配信番組の番組についての記述）を、先行配信番組情報取得部５０２に通知する。
【００５２】
先行配信番組情報取得部５０２は、通知された先行配信番組の番組についての記述に基づいて先行配信番組の番組情報を取得する（ステップＳ６０４）。例えば、先行配信番組情報取得部５０２は、通信制御部２３０を介してインターネット上の配信元サーバのＵＲＬから先行配信番組の番組情報を取得する。
【００５３】
また、先行配信番組情報取得部５０２は、図７に示すように、上記取得した先行配信番組の番組情報に、紐付け元の本放送番組の番組識別情報を付加する。そして、先行配信番組情報取得部５０２は、この番組識別情報が付加されたこの先行配信番組の番組情報を先行配信番組情報記憶部５０３に記憶する（ステップＳ７０１）。
【００５４】
これと同時に、先行配信番組情報取得部５０２は、放送番組情報記憶部４０２に記憶され先行配信番組の番組情報に対して、記憶済みである情報を追加し、その記述内容を更新する（ステップＳ７０２）。記憶済みである情報は、例えば、記憶済みであるか否かを示す記憶済みフラグをＯＮ（記憶済みを示す旨）とすればよい。
【００５５】
（３）本放送番組と先行配信番組の番組情報提供機能
図８を参照してデジタル放送受信装置１００の「本放送番組と先行配信番組の番組情報提供機能」について説明する。
【００５６】
本放送番組情報提供部８０１は、放送番組情報記憶部４０２から所望の放送番組の番組情報を読み出すとともに、この読み出した所望の放送番組の番組情報を番組差異情報判定部２３４に提供する。この放送番組の番組情報の中には、この放送番組に紐付けられている先行配信番組についての記述が含まれる。
【００５７】
先行配信番組情報提供部８０２は、先行配信番組制御部２３３の先行配信番組情報記憶部５０３から所望の先行配信番組の番組情報を読み出す。そして、この読み出した所望の先行配信番組の番組情報を番組差異情報判定部２３４へ提供する。なお、先行配信番組情報提供部８０２は、この先行配信番組にかかわる紐付け元本放送番組の番組情報を番組差異情報判定部２３４へ提供することも可能である。
【００５８】
（４）先行配信番組と本放送番組との差異に関する差異情報判定機能
図２および図９を参照してデジタル放送受信装置１００の「先行配信番組と本放送番組との差異に関する差異情報判定機能」について説明する。
図２に示す番組差異情報判定部２３４は、図９に示すように、本放送番組情報提供部８０１による処理により先行配信番組に紐付けられている本放送番組の番組情報を取得する（ステップＳ９０１）。続いて、番組差異情報判定部２３４は、この先行配信番組の番組情報を取得する（ステップＳ９０２）。
【００５９】
次に、番組差異情報判定部２３４は、ステップＳ９０１で取得した先行配信番組の番組情報とステップＳ９０２で取得した本放送番組の番組情報とを比較する（ステップＳ９０３）。そして、番組差異情報判定部２３４は、この比較した結果を基に、先行配信番組の番組情報と本放送番組の番組情報との差異の結果と差異内容を出力する（ステップＳ９０４）。
【００６０】
このように、番組差異情報判定部２３４は、先行配信番組の番組情報と本放送番組の番組情報との差異を判定する処理（以下「差異判定処理」という。）を実施する。この差異判定処理は、字幕・文字スーパー（字幕および文字スーパーのうち少なくとも一方）とＥＳとについて実施される。
【００６１】
（４−ａ）字幕・文字スーパーに対する差異情報判定処理（差異判定処理）
番組差異情報判定部２３４は、字幕・文字スーパーに対する差異情報判定（差異判定）についてはＰＭＴ、ＥＩＴを用いて実施する。
番組差異情報判定部２３４は、ユーザによる本放送番組の視聴時に、本放送番組の字幕・文字スーパーに対する差異情報を判定する。また、先行配信番組の字幕・文字スーパーに対する差異情報を判定し、これらの判定の結果を表示による通知（以下「表示通知」という。）を行なう場合、ＰＭＴ及びＥＩＴに記述される記述子を参照する。
【００６２】
具体的には、番組差異情報判定部２３４は、放送に字幕・文字スーパーＥＳが含まれているか否かについて、ＰＭＴのストリーム識別記述子内データ「ｓｔｒｅａｍ＿ｔｙｐｅ」に字幕・文字スーパー（０ｘ０６）が存在するかどうかを参照する。また、番組差異情報判定部２３４は、ＰＭＴに記述されるデータ符号化方式記述子内データ「ｄａｔａ＿ｃｏｍｐｏｎｅｎｔ＿ｉｄ」が字幕・文字スーパー（０ｘ００００８）であるかどうかを参照する。また、付加情報識別の設定パラメータが「字幕：‘０１’（番組同期）」、「文字スーパー：‘００’（非同期）ｏｒ‘１０’（同期）」であるかどうかを参照する。これにより、番組差異情報判定部２３４は、字幕か文字スーパーであるかを知ることができる。
【００６３】
また、番組差異情報判定部２３４は、ＥＩＴに記述されるデータコンポーネント記述子を参照することで、字幕に用いる言語情報を知ることができる。
番組差異情報判定部２３４は、本放送番組の視聴時以外に、本放送番組の字幕・文字スーパーに対する差異情報と先行配信番組の字幕・文字スーパーに対する差異情報を判定し表示通知する場合、ＥＩＴに記述されるデータコンポーネント記述子を参照する。その後、番組差異情報判定部２３４は、字幕・文字スーパーの有無及び字幕に用いる言語情報を取得して先行配信番組と本放送番組との差異を判定する。ここで、本放送番組の視聴時以外とは、先行配信番組の視聴時、放送番組の開始以前に番組情報またはＥＰＧ表示を行う時をいう。
【００６４】
（４−ｂ）ＥＳに対する差異情報判定処理（差異判定処理）
番組差異情報判定部２３４は、映像ＥＳ、音声ＥＳなどに対する差異情報判定（差異判定）については、字幕・文字スーパーに対する差異情報判定処理（差異判定処理）と同様に、ＰＭＴ、ＥＩＴを用いて実施する。
【００６５】
番組差異情報判定部２３４は、ユーザによる本放送番組の視聴時に、本放送番組の映像ＥＳ・音声ＥＳに対する差異情報と先行配信番組の映像ＥＳ・音声ＥＳに対する差異情報とを判定し、表示通知する。この場合、ＰＭＴ及びＥＩＴに記述される記述子を参照する。
【００６６】
具体的には、番組差異情報判定部２３４は、放送に映像ＥＳ、音声ＥＳが含まれているか否かについて、ＰＭＴのストリーム識別記述子内データ「ｓｔｒｅａｍ＿ｔｙｐｅ」に映像ＥＳ、音声ＥＳが存在するかどうかを参照する。また、番組差異情報判定部２３４は、ＥＩＴに記述されるコンポーネントグループ記述子、音声コンポーネント記述子を参照する。これにより、番組差異情報判定部２３４は、複数の映像ＥＳ、音声ＥＳに関する詳細情報を知ることができる。
【００６７】
番組差異情報判定部２３４は、本放送番組の視聴時以外に、本放送番組の映像ＥＳ、音声ＥＳに対する差異情報と、先行配信番組の映像ＥＳ、音声ＥＳに対する差異情報とを判定し表示通知する。本放送番組の視聴時以外とは、例えば、先行配信番組の視聴時、放送番組の開始以前に番組情報またはＥＰＧ表示を行う時をいう。この場合、ＥＩＴに記述される記述子を参照して、複数の映像ＥＳ、音声ＥＳに関する詳細情報を取得することにより、先行配信番組と本放送番組との差異を判定する。
【００６８】
また、番組差異情報判定部２３４は、差異情報判定処理について、ＥＩＴ、ＰＭＴ等のＰＳＩ／ＳＩ情報に基づいて実施することが可能である。差異情報判定処理は、例えば、「画質、音質が異なる」、「双方向通信などによる番組に付随するサービスが異なる」、「連動するデータ放送内容が異なる」、「課金によるサービスが異なる」等の項目について行う。
【００６９】
一方、番組差異情報判定部２３４は、先行配信番組情報取得部５０２が取得するＶＯＤコンテンツの番組情報（メタ情報）について処理を行う。この処理では、通信制御部２３０を介してＶＯＤサーバから取得されるＨＴＭＬ（ＨｙｐｅｒＴｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）といった記述文書から内容を解析する。この解析により、字幕・文字スーパー情報、映像ＥＳ・音声ＥＳなどのＥＳ情報などを得ることにより、ＥＳに対する差異情報判定処理を可能となる。
【００７０】
（５）先行配信番組の視聴履歴記憶機能
図２、図５および図１０を参照してデジタル放送受信装置１００の「先行配信番組の視聴履歴記憶機能」について、説明する。
【００７１】
図２において、ユーザがリモコン２２６を操作して所望の先行配信番組の再生（視聴）を指示（以下「先行配信番組再生指示」という。）すると、この先行配信番組再生指示がリモコン２２６からデジタル放送受信装置１００に送信される。
【００７２】
デジタル放送受信装置１００では、受光部２２７が先行配信番組再生指示を受信する。この先行配信番組再生指示は、システム制御部２２３を介してＶＯＤ再生制御部２３２へ出力される。ＶＯＤ再生制御部２３２は、入力された先行配信番組再生指示に従って、通信制御部２３０を介してインターネット上のＶＯＤサーバに対し所望の先行配信番組の配信要求を行う。そして、この配信要求を受け付けたＶＯＤサーバから配信される先行配信番組の再生制御処理を行う。
【００７３】
図５に示す先行配信番組制御部２３３では、先行配信番組視聴履歴制御部５０４は、先行配信番組が再生された場合に、図１０に示す先行配信番組情報記憶部５０３内の再生された先行配信番組の番組情報を取得する（ステップＳ１００１）。そして、この取得した番組情報内の視聴済みフラグがＯＦＦ（未再生とみなす旨）であるか否かを判断する（ステップＳ１００２）。
【００７４】
次に、先行配信番組視聴履歴制御部５０４は、ステップＳ１００２において、視聴済み（再生済み）フラグがＯＦＦ（未再生とみなす旨）であると判断した場合は、視聴済みフラグをＯＦＦからＯＮ（視聴済みとする旨）に変更する（ステップＳ１００３）。なお、先行配信番組視聴履歴制御部５０４は、先行配信番組が少しでも再生（視聴）された場合、視聴済み（再生済み）とする（視聴済みフラグをＯＮにする）。  なお、先行配信番組視聴履歴制御部５０４は、ステップＳ１００２において、視聴済みフラグがＯＦＦ（未再生とみなす旨）でないと判断された場合（視聴済みフラグがＯＮの場合）は、この処理を終了する。
【００７５】
（６）先行配信番組と本放送番組との差異に関する差異情報通知制御機能
図１１乃至１８を参照してデジタル放送受信装置１００の「先行配信番組と本放送番組との差異に関する差異情報通知制御機能」について説明する。
【００７６】
図１８に示す差異情報通知制御部２３６では、差異情報通知設定部１８０１は、表示制御部２１０に対し、図１１に示す設定画面１１００を映像出力部２１２に表示させるよう指示する。また、差異情報通知設定部１８０１は、ユーザに対し、表示される設定画面１１００に対して、先行配信番組と本放送番組との差異を通知するか否かを示す旨、または差異の有無及び差異内容を通知するか否かを示す旨を設定する。
【００７７】
図１１に示すように、設定画面１１００は、設定欄１１０１、設定欄１１０２、設定欄１１０３を有する。設定欄１１０１では、先行配信番組の視聴時に先行配信番組と本放送番組との差異を通知するか否かを設定し、設定欄１１０２では、先行配信番組が存在する本放送番組の視聴時に本放送番組と先行配信番組との差異を通知するか否かを設定する。設定欄１１０３では、先行配信番組の番組情報の表示画面への表示時、先行配信番組が存在する本放送番組の番組情報の表示画面への表示時、及びＥＰＧ表示時に、この番組情報を表示する領域に本放送番組と先行配信番組との差異の有無を設定する。また、設定欄１１０３では、本放送番組と先行配信番組との差異内容を通知するか否かを設定する。
【００７８】
ユーザは、リモコン２２６により、図１１に示す設定画面１１００内の設定欄１１０１，１１０２，１１０３のぞれぞれのチェック欄にチェックすることができる。該当する設定欄としては、差異を通知する旨、または差異の有無及び差異内容を通知する旨を設定することが可能となっている。これにより操作が簡便になる。
【００７９】
設定画面１１００内の設定欄１１０１，１１０２，１１０３に対してのユーザによる設定の内容（差異情報通知設定情報）は、差異情報通知設定部１８０１が取得する。
図１２に示すように、先行配信番組の視聴時に、先行配信番組と本放送番組との差異を示す差異情報をユーザに通知する場合、差異情報通知制御部２３６は、先行配信番組が再生されたかを検知する処理を行う（ステップＳ１２０１）。この後、差異情報通知制御部２３６は、先行配信番組が再生されたか否かを判断する（ステップＳ１２０２）。
【００８０】
差異情報通知制御部２３６は、ステップＳ１２０２において、先行配信番組が再生されたと判断した場合、通知タイミング決定部１８０２に対し所定の処理を実施するよう指示する。
通知タイミング決定部１８０２は、差異情報通知設定部１８０１から、先行配信番組の視聴時の差異情報通知設定情報（設定画面１１００内の設定欄１１０１に対して設定された設定情報）を取得する（ステップＳ１２０３）。
【００８１】
次に、この取得した差異情報通知設定情報としての差異情報通知設定値がＯＮであるか否か、すなわち差異情報を通知する設定となっているか否かを判断する（ステップＳ１２０４）。判断の結果、差異情報通知設定値がＯＮの場合はその旨を差異情報通知判定部１８０３へ通知する。
【００８２】
差異情報通知判定部１８０３は、先行配信番組情報提供部８０２から先行配信番組の番組情報を取得し（ステップＳ１２０５）、本放送番組情報提供部８０１による番組提供処理によって得られた本放送番組の番組情報を取得する（ステップＳ１２０６）。
【００８３】
番組差異情報判定部２３４は、先行配信番組の番組情報と本放送番組の番組情報とに基づき、先行配信番組−本放送番組との差異判定処理を実施する（ステップＳ１２０７）。その結果、番組差異情報判定部２３４は、差異情報（先行配信番組−本放送番組差異情報）を差異情報通知制御部２３６へ出力する。
【００８４】
さて、差異情報通知制御部２３６では、差異情報通知判定部１８０３は、番組差異情報判定部２３４からの差異情報を取得し、この差異情報を差異情報通知部１８０４に出力する。差異情報通知部１８０４は、差異情報通知判定部１８０３から取得した差異情報の表示通知処理を行う（ステップＳ１２０８）。差異情報は、表示制御部２１０を介して映像出力部２１２によって表示される。
【００８５】
図１３は差異情報の表示によりユーザに通知する場合の画面の一例である。図１３の一例では、先行配信番組の視聴時に、差異情報として「日本語字幕がない旨」および「ＳＤ放送番組となっている旨（ＳＤ画質の旨）」が表示される。これにより、ユーザは、先行配信番組を視聴するべきか否かを判断することができる。
【００８６】
また、図１８に示す差異情報通知制御部２３６は、図１４に示すように、ユーザによる本放送番組の視聴時に差異情報をユーザに通知する場合、本放送番組が開始されたかを検知する処理を行う（ステップＳ１４０１）。続いて、差異情報通知制御部２３６は、本放送番組が選局されたか否かを判断する（ステップＳ１４０２）。
【００８７】
差異情報通知制御部２３６は、ステップＳ１４０２において、本放送番組が選局されないと判断した場合、この処理を終了する。これに対し、差異情報通知制御部２３６は、ステップＳ１４０２において、本放送番組が選局されたと判断した場合、通知タイミング決定部１８０２に対し所定の処理を実施するよう指示する。
【００８８】
通知タイミング決定部１８０２は、差異情報通知設定部１８０１から、本放送番組の視聴時の差異情報通知設定情報（設定画面１１００内の設定欄１１０２に対して設定された設定情報）を取得する（ステップＳ１４０３）。通知タイミング決定部１８０２は、この取得した差異情報通知設定情報としての差異情報通知設定値がＯＮ、すなわち本放送番組の視聴時に先行配信番組との差異情報を通知する設定であるか否かを判断する（ステップＳ１４０４）。
【００８９】
通知タイミング決定部１８０２は、ステップＳ１４０４において、差異情報通知設定値がＯＮではない（ＯＦＦである）と判断した場合には、この処理を終了する。これに対し、通知タイミング決定部１８０２は、ステップＳ１４０４において、差異情報通知設定値がＯＮであると判断した場合は、その旨を差異情報通知判定部１８０３へ通知する。
【００９０】
差異情報通知判定部１８０３は、本放送番組情報提供部８０１から本放送番組の番組情報を取得する（ステップＳ１４０５）。そして、差異情報通知判定部１８０３は、本放送番組情報提供部８０１による番組提供処理により得られた先行配信番組の番組情報を取得する（ステップＳ１４０６）。
【００９１】
また、差異情報通知判定部１８０３は、取得した先行配信番組の番組情報内のこの先行配信番組の視聴済みフラグを参照し、先行配信番組が視聴済み（再生済み）であるか否かを判断する（ステップＳ１４０７）。さらに、差異情報通知判定部１８０３は、ステップＳ１４０７において、視聴済みフラグがＯＮであるので、先行配信番組が視聴済みであると判断した場合は、その旨を番組差異情報判定部２３４へ通知する。
【００９２】
番組差異情報判定部２３４は、先行配信番組の番組情報と本放送番組の番組情報とに基づき、先行配信番組−本放送番組の差異判定処理を実施する（ステップＳ１４０８）。番組差異情報判定部２３４は、次に、この差異判定処理の結果である差異情報を差異情報通知制御部２３６へ出力する。
【００９３】
さて、差異情報通知制御部２３６では、差異情報通知判定部１８０３は、番組差異情報判定部２３４からの差異情報を取得するとともに、この取得した差異情報を差異情報通知部１８０４へ出力する。差異情報通知部１８０４は、差異情報通知判定部１８０３から取得した差異情報の表示通知処理を行う（ステップＳ１４０９）。
【００９４】
この差異情報は、表示制御部２１０を介して映像出力部２１２によって表示される。この差異情報の表示通知する画面の一例を、図１５に示す。図１５に示す例においては、本放送番組の視聴時に、差異情報として「日本語字幕が付加された旨」および「ハイビジョン放送番組となっている旨（ＳＤ画質からＨＤ画質になった旨）」が表示されている、ことが示されている。そのため、ユーザは、本放送番組を視聴するべきか否かを判断することができる。
なお、差異情報通知判定部１８０３が、ステップＳ１４０７において、視聴済みフラグがＯＦＦであるので、先行配信番組が視聴済みではないと判断した場合は、差異情報通知部１８０４による差異情報の表示通知は行われない。
【００９５】
さらに、図１８に示す差異情報通知制御部２３６は、図１６に示すように、番組情報及びＥＰＧに差異情報を表示する場合、番組情報またはＥＰＧが表示されたかを検知する処理を行う（ステップＳ１６０１）。
【００９６】
この後、差異情報通知制御部２３６は、番組情報またはＥＰＧの表示処理の実行が開始されたか否かを判断する（ステップＳ１６０２）。差異情報通知制御部２３６は、ステップＳ１６０２において、番組情報またはＥＰＧの表示処理の実行が開始されないと判断した場合には、この処理を終了する。
【００９７】
これに対し、差異情報通知制御部２３６は、ステップＳ１６０２において、番組情報またはＥＰＧの表示処理の実行が開始されたと判断した場合は、通知タイミング決定部１８０２に対し所定の処理を実施するよう指示する。通知タイミング決定部１８０２は、差異情報通知設定部１８０１から、本放送番組の視聴時の差異情報通知設定情報（設定画面１１００内の設定欄１１０３に対して設定された設定情報）としての差異情報通知設定値を取得する（ステップＳ１６０３）。
【００９８】
通知タイミング決定部１８０２は、差異情報通知設定値がＯＮであるか否か、すなわち先行配信番組又は本放送番組の番組情報の表示画面の起動時、又はＥＰＧ画面の起動時に差異情報を表示するか否かを判断する（ステップＳ１６０４）。通知タイミング決定部１８０２は、ステップＳ１６０４において、差異情報通知設定値がＯＮではない（ＯＦＦである）と判断した場合には、この処理を終了する。これに対し、通知タイミング決定部１８０２は、ステップＳ１６０４において、差異情報通知設定値がＯＮであると判断した場合は、その旨を差異情報通知判定部１８０３へ通知する。
【００９９】
差異情報通知判定部１８０３は、先行配信番組情報提供部８０２から紐付け元の本放送番組の番組情報、および先行配信番組の番組情報を取得する（ステップＳ１６０５，Ｓ１６０６）。番組差異情報判定部２３４は、先行配信番組の番組情報と本放送番組の番組情報とに基づき、先行配信番組−本放送番組の差異判定処理を実施する（ステップＳ１６０７）。その後、番組差異情報判定部２３４は、この差異判定処理の結果である差異情報を差異情報通知制御部２３６へ出力する。
【０１００】
差異情報通知制御部２３６では、差異情報通知判定部１８０３は、番組差異情報判定部２３４からの差異情報を取得する。そして取得した差異情報を基に本放送番組と先行配信番組とに差異が存在するか否かを判断する（ステップＳ１６０８）。差異情報通知判定部１８０３は、ステップＳ１６０８において、上記差異が存在しないと判断した場合には、この処理を終了する。一方、上記差異が存在すると判断した場合は、上記取得した差異情報を差異情報通知部１８０４へ出力する。差異情報通知部１８０４は、差異情報通知判定部１８０３から取得した差異情報の表示処理を行う（ステップＳ１６０９）。
【０１０１】
この差異情報は、表示制御部２１０を介して映像出力部２１２によって表示される。この差異情報の表示する画面の一例を、図１７に示す。図１７に示す例は、番組情報表示時またはＥＰＧ表示時に、先行配信番組と本放送番組との差異を示す差異情報として「日本語字幕が付加された旨」および「ハイビジョン放送番組となっている旨（ＨＤ画質の旨）」を示す。これにより、ユーザは、この結果から、本放送番組または先行配信番組を視聴するべきか否かを判断する。
【０１０２】
第１実施形態では、差異情報を通知するタイミングとして、以下のものを例示した。
（１）ユーザによる先行配信番組の視聴時に、この先行配信番組と本放送番組との差異を示す差異情報をユーザに通知する場合（図１２参照）。
（２）ユーザによる本放送番組の視聴時にこの本放送番組と先行配信番組との差異を示す差異情報をユーザに通知する場合（図１４参照）。
（３）番組情報及びＥＰＧに先行配信番組と本放送番組との差異を示す差異情報を表示する場合（図１６参照）。
【０１０３】
本発明はこれに限定されることなく、次のようなタイミングで差異情報を通知するようにしてもよい。すなわち、差異情報を通知するタイミングとして、以下のものを挙げられる。
【０１０４】
（ａ）先行配信番組および本放送番組のうち少なくとも一方の番組の予約が行われる場合。
（ｂ）先行配信番組および本放送番組のうち少なくとも一方の番組の予約が削除される場合。
（ｃ）先行配信番組および本放送番組のうち少なくとも一方の番組が課金される番組であるときにこの番組が購入される場合。
【０１０５】
これら各タイミングは、放送番組情報取得部２３５が紐付け元の本放送番組の番組情報を取得し記憶し、また先行配信番組制御部２３３がこの本放送番組に紐付けられた先行配信番組を取得し記憶した後に、ユーザのリモコン２２６による操作に応じて発生する。
【０１０６】
そのため、差異情報通知制御部２３６は、上記（ａ），（ｂ），（ｃ）の各タイミングで差異情報を通知する場合、上記（３）番組情報及びＥＰＧに先差異情報を表示する場合（図１６参照）と同様の処理手順に従った処理を実施するようにする。
【０１０７】
第１実施形態によれば、差異情報により、先行配信番組と、本放送番組の差異をユーザが明確に区別することができるので、ユーザ自身が価値判断が容易になる。
また、ユーザが所望の本放送番組またはこの本放送番組にかかわる先行配信番組を視聴するべきか否かを判断するときの判断情報としてＶＯＤによる先行配信番組と放送による本放送番組との差異を示す差異情報をユーザに対し通知することができる。
【０１０８】
また、第１実施形態によれば、本放送番組の視聴が予定されているときは、先行配信番組と本放送番組との差異を示す差異情報を、本放送番組を視聴するべきか否かの判断情報としてユーザに通知することができる。このため、ユーザは、本放送番組の視聴時に、本放送番組は、先行配信番組と比較して、例えば「日本語字幕が付加された旨」および「ハイビジョン放送番組となっている旨（ＨＤ画質の旨）」を知ることができる。これによりユーザは、本放送番組を視聴するべきか否かを判断することができる。
【０１０９】
また、第１実施形態によれば、ＶＯＤによる先行配信番組の再生が予定されているときは、差異情報を本放送番組にかかわる先行配信番組を視聴するべきか否かを判断するときの判断情報としてユーザに対し通知することができる。このため、ユーザは、先行配信番組の視聴時に、先行配信番組の本放送番組に対する差異を知ることができ、これにより先行配信番組を視聴するべきか否かを判断することができる。
【０１１０】
さらに、第１実施形態によれば、本放送番組の番組情報、ＶＯＤによる先行配信番組の番組情報、又は電子番組表情報が表示されるときは、差異情報を併せてユーザに対し通知し表示することができる。そのため、ユーザは本放送番組または先行配信番組を視聴するべきか否かを判断することができる。
【０１１１】
（第２実施形態）
次に、第２実施形態に係るデジタル放送受信装置について説明する。この第２実施形態のデジタル放送受信装置は、図２に示した第１実施形態のデジタル放送受信装置１００の機能構成と同様になっている。
【０１１２】
ただし、第２実施形態では、第１実施形態での（２）放送番組に紐付けられている先行配信番組の取得機能および記憶機能に代替して、次の先行配信番組の取得機能および記憶機能を有している。
すなわち、先行配信番組の取得機能および記憶機能においては、先行配信番組の番組情報をＰＳＩ（番組特定情報）／ＳＩ（番組配列情報）から取得する機能とする。換言すれば、デジタル放送受信装置は、放送による先行配信番組を取得するとともに、放送による本放送番組を取得する。
【０１１３】
第２実施形態では、先行配信番組制御部２３３の先行配信番組情報取得部５０２および先行配信番組検出部５０１が、上記第１の取得手段の機能を有し、放送番組情報取得部２３５の放送番組情報取得部４０１が上記第２の取得手段の機能を有する。また、番組差異情報判定部２３４が上記判定手段の機能を有する。また、差異情報通知制御部２３６の差異情報通知部１８０４が上記通知手段の機能を有する。差異情報通知制御部２３６の差異情報通知設定部１８０１が差異情報を通知するか否かを設定する設定手段の機能を有する。また、判定手段が、第１の取得手段（先行配信番組検出部５０１）によって取得された番組情報と第２の取得手段（放送番組情報取得部４０１）によって取得された番組情報とを基づいて先行配信番組と本放送番組との差異を判定する機能を有する。
【０１１４】
これにより、第２実施形態では、差異情報通知部１８０４が、本放送番組の出力（視聴）が予定されるときは、判定手段による判定の結果に基づいて先行配信番組と本放送番組との差異を示す差異情報をユーザに対し通知する機能を有する。
【０１１５】
また、先行配信番組の再生（視聴）が予定されるときは、判定手段による判定の結果に基づいて先行配信番組と本放送番組との差異を示す差異情報をユーザに対し通知する機能を有する。さらに、本放送番組の番組情報、先行配信番組の番組情報、および電子番組表情報のうち少なくとも１つの情報が表示されるときは、判定手段による判定の結果に基づいて先行配信番組と本放送番組との差異を示す差異情報をユーザに対して通知する機能を有する。
【０１１６】
次に、デジタル放送受信装置１００の「先行配信番組と本放送番組との差異に関する差異情報通知制御機能」について、図２、図１０、図１８乃至図２１を参照して説明する。
図１８に示す先行配信番組制御部２３３では、先行配信番組検出部５０１は、図１９に示すように、図２に示す番組情報デコード部２０６から出力される番組情報（ＳＩ情報）に基づき、先行配信番を検知する処理を実施する（ステップＳ１９０１）。先行配信番組検出部５０１は、先行配信番組の番組情報を取得する。その後、先行配信番組検出部５０１は、この取得した番組情報を先行配信番組情報記憶部５０３へ記憶する（ステップＳ１９０２）。
【０１１７】
先行配信番組視聴履歴制御部５０４は、ユーザのリモコン２２６の操作により先行配信番組が選局されたとき、図１０に示した第１実施形態の処理手順と同様の処理手順に従って、視聴済みフラグをＯＮとして先行配信番組情報記憶部５０３に記憶する。
すなわち、先行配信番組視聴履歴制御部５０４は、先行配信番組が選局された場合、先行配信番組情報記憶部５０３内のステップＳ１９０２で記憶された先行配信番組の番組情報を取得する。その後、先行配信番組視聴履歴制御部５０４は、取得した番組情報内の視聴済みフラグがＯＦＦ（すなわち、未再生）であるか否かを判断する。先行配信番組視聴履歴制御部５０４は、この判断の結果、視聴済みフラグがＯＦＦである場合、先行配信番組情報記憶部５０３内のこの先行配信番組の番組情報にかかわる視聴済みフラグをＯＦＦからＯＮ（視聴済みとする旨）に変更する。
【０１１８】
次に、図１８に示す先行配信番組制御部２３３は、図２０に示すように、先行配信番組の番組終了を検知する（ステップＳ２００１）。
先行配信番組制御部２３３による先行配信番組の番組終了が検知されると、先行配信番組制御部２３３では、先行配信番組視聴履歴制御部５０４が、先行配信番組情報記憶部５０３から先行配信番組の視聴済みフラグを取得する（ステップＳ２００２）。その後、先行配信番組視聴履歴制御部５０４が、取得した視聴済みフラグがＯＦＦであるか否かを判断する（ステップＳ２００３）。
【０１１９】
先行配信番組視聴履歴制御部５０４は、ステップＳ２００３において、視聴済みフラグがＯＦＦであると判断した場合は、先行配信番組情報記憶部５０３からこの先行配信番組の番組情報を削除する（ステップＳ２００４）。これに対し、ステップＳ２００３において視聴済みフラグがＯＦＦではない（ＯＮである）と判断した先行配信番組視聴履歴制御部５０４は、このタイミングでは、先行配信番組情報記憶部５０３からこの先行配信番組の番組情報は削除しない。
【０１２０】
さらに、図１８に示す放送番組情報取得部２３５は、図２１に示すように、本放送番組の番組終了を検知すると（ステップＳ２１０１）、この本放送番組の番組情報に記述され紐付けられている先行配信番組の記述情報を参照する（ステップＳ２１０２）。次に、放送番組情報取得部２３５は、この先行配信番組の記述情報に基づき、先行配信番組情報記憶部５０３からこの本放送番組に紐付けされている先行配信番組の番組情報を削除する（ステップＳ２１０３）。
【０１２１】
第２実施形態では、上述したように先行配信番組制御部２３３が、先行配信番組の番組情報をＰＳＩ／ＳＩから取得するときに、先行配信番組の番組情報を先行配信番組情報記憶部５０３に記憶するようにする。
そして、図１８に示す差異情報通知制御部２３６は、第1実施形態と同様に以下のような制御処理によって差異情報をユーザに通知する。
（１）ユーザによる先行配信番組の視聴時に先行配信番組と本放送番組との差異を示す差異情報をユーザに通知する。
（２）ユーザによる本放送番組の視聴時に本放送番組と先行配信番組との差異を示す差異情報をユーザに通知する。
（３）番組情報及びＥＰＧに先行配信番組と本放送番組との差異を示す差異情報を表示する。
【０１２２】
すなわち、上記（１）の差異情報をユーザに通知する場合の差異情報通知制御処理は、図１２に示した第１実施形態の処理手順に従った差異情報通知制御処理と同様である。また。上記（２）の差異情報をユーザに通知する場合の差異情報通知制御処理は、図１４に示した第１実施形態の処理手順に従った差異情報通知制御処理と同様である。さらに、上記（３）の差異情報を表示する場合の差異情報通知制御処理は、図１６に示した第１実施形態の処理手順に従った差異情報通知制御処理と同様である。
【０１２３】
以上説明したように、第２実施形態によれば、ユーザが所望の本放送番組またはこの本放送番組にかかわる先行配信番組を視聴するべきか否かを判断するときの判断情報として、差異情報をユーザに対し通知することができる。
【０１２４】
（第３実施形態）
次に、第３実施形態に係るデジタル放送受信装置について説明する。この第３実施形態のデジタル放送受信装置は、図２に示した第１実施形態のデジタル放送受信装置１００の機能構成と同様になっている。
【０１２５】
なお、第３実施形態では、デジタル放送受信装置は、先行配信番組の視聴履歴制御機能を有している。この視聴履歴制御機能は、先行配信番組の再生時に視聴していない部分（未視聴シーン）が本放送番組内に存在した場合に、差異情報の表示を行う機能である。換言すれば、第３実施形態のデジタル放送受信装置は、未視聴部分（未再生部分）による表示通知制御を実施する。
【０１２６】
第３実施形態では、先行配信番組制御部２３３の先行配信番組情報取得部５０２が第１の取得手段の機能を有し、放送番組情報取得部２３５の放送番組情報取得部４０１が第２の取得手段の機能を有する。また、番組差異情報判定部２３４が上記判定手段の機能を有し、差異情報通知制御部２３６の差異情報通知部１８０４が通知手段の機能を有する。差異情報通知制御部２３６の差異情報通知設定部１８０１は差異情報を通知するか否かを設定する設定手段の機能を有する。差異情報通知制御部２３６の差異情報通知判定部１８０３は、先行配信番組の再生状況に応じて、先行配信番組と本放送番組との差異を示す差異情報を通知する制御を行う制御手段の機能を有する。
【０１２７】
従って、第３実施形態では、差異情報通知制御部２３６の差異情報通知部１８０４が、本放送番組の視聴が予定されるときは、先行配信番組と本放送番組との差異を示す差異情報をユーザに対し通知する機能を有する。また、先行配信番組の視聴が予定されるときは、判定手段（番組差異情報判定部２３４）による判定の結果に基づき、先行配信番組と本放送番組との差異を示す差異情報をユーザに対し通知する機能を有する。さらに、本放送番組の番組情報、先行配信番組の番組情報、および電子番組表情報のうち少なくとも１つの情報が表示されるときは、判定手段（番組差異情報判定部２３４）による判定の結果に基づき、差異情報をユーザに対し通知する機能を有する。
【０１２８】
次に、デジタル放送受信装置１００の先行配信番組の視聴履歴制御機能（本放送番組に未視聴部分（未視聴シーン）が存在した場合に実施される表示通知制御）について、図２２を参照して説明する。なお、未視聴部分（未視聴シーン）が存在するケースは、例えば、先行配信番組に含まれていないシーンが本放送番組で放送される場合や、ユーザが先行配信番組の再生を途中で止め、未再生のシーンが本放送番組で放送される場合などに発生する。
図１８に示す先行配信番組制御部２３３では、先行配信番組視聴履歴制御部５０４は、ユーザが先行配信番組の視聴履歴に関する詳細情報（視聴履歴詳細情報）を先行配信番組情報記憶部５０３へ記憶する。記憶する視聴履歴詳細情報は、視聴開始ポイント（複数可）、視聴終了ポイント（複数可）を含む。
【０１２９】
図１８に示す差異情報通知制御部２３６は、ユーザによる本放送番組の視聴時に、この本放送番組と先行配信番組との差異を示す差異情報をユーザに通知するする。この場合、図２２に示すように、本放送番組の開始を検知する処理（本放送番組開始検知処理）を行うとともに（ステップＳ２２０１）、本放送番組が選局されたか否かを判断する。
【０１３０】
差異情報通知制御部２３６は、本放送番組が選局されたことを検知した場合、通知タイミング決定部１８０２に対し所定の処理を実施するよう指示する。通知タイミング決定部１８０２は、先行配信番組情報提供部８０２から先行配信番組の番組情報を取得するとともに（ステップＳ２２０２）、この取得した先行配信番組に関する視聴履歴詳細情報を参照する（ステップＳ２２０３）。
【０１３１】
また、通知タイミング決定部１８０２は、ステップＳ２２０３で参照する視聴履歴詳細情報を基に、本放送番組内に未視聴部分（未視聴シーン）が存在するか否かを判別する（ステップＳ２２０４）。通知タイミング決定部１８０２は、この判別した結果（先行配信番組の未視聴部分の開始ポイント）を差異情報通知判定部１８０３へ出力する。
差異情報通知判定部１８０３は、通知タイミング決定部１８０２からの先行配信番組の未視聴部分の開始ポイントを取得する。先行配信番組の未視聴部分の再生開始を検知した場合（ステップＳ２２０５）、差異情報通知判定部１８０３は、図８に示す本放送番組情報提供部８０１から本放送番組の番組情報を取得する（ステップＳ２２０６）。
【０１３２】
差異情報通知判定部１８０３は、ステップＳ２２０６で取得した本放送番組とそれに紐付いている先行配信番組との差異を示す差異情報を表示する。同時に、差異情報通知判定部１８０３は、先行配信番組の再生時に視聴していない部分（シーン）が本放送番組内に存在する旨のメッセージを、表示する（ステップＳ２２０７）。この差異情報およびメッセージは、表示制御部２１０を介して映像出力部２１２によって表示される。
【０１３３】
このように、差異情報通知制御部２３６は、先行配信番組に未視聴部分が存在すると判別したときは、差異情報を表示する。同時に、差異情報通知制御部２３６は、先行配信番組の再生時に視聴していない部分（シーン）が存在する旨のメッセージを表示する。
【０１３４】
以上説明したように、第３実施形態によれば、先行配信番組の再生時に視聴していない部分（シーン）が本放送番組内に存在する旨のメッセージをユーザに対し通知し表示することができる。
【図面の簡単な説明】
【０１３５】
【図１】第１実施形態に係るデジタル放送受信装置の接続形態を示す構成図である。
【図２】第１実施形態に係るデジタル放送受信装置の機能構成を示すブロック図である。
【図３】第１実施形態に係る先行配信番組と本放送番組との時間的関係を示す図である。
【図４】第１実施形態に係るデジタル放送受信装置の放送番組の番組情報取得機能を説明する図である。
【図５】第１実施形態に係るデジタル放送受信装置の放送番組に紐付けられている先行配信番組の取得機能および記憶機能を説明する図である。
【図６】第１実施形態に係るデジタル放送受信装置による先行配信番組の番組情報を取得する処理の処理手順を示すフローチャートである。
【図７】第１実施形態に係るデジタル放送受信装置による先行配信番組の番組情報を取得した後に先行配信番組と先行配信番組の紐付け元の本放送番組とに関して記憶されている番組情報を更新する処理の処理手順を示すフローチャートである。
【図８】第１実施形態に係るデジタル放送受信装置の本放送番組と先行配信番組の番組情報提供機能を説明する図である。
【図９】第１実施形態に係るデジタル放送受信装置による放送番組の番組情報と先行配信番組の番組情報との比較判定をする処理の処理手順を示すフローチャートである。
【図１０】第１実施形態に係るデジタル放送受信装置による先行配信番組の視聴履歴を記憶する処理の処理手順を示すフローチャートである。
【図１１】第１実施形態に係るデジタル放送受信装置による先行配信番組と本放送番組との差異を示す差異情報を通知するか否かを設定するための設定画面の一例を示す図である。
【図１２】第１実施形態に係るデジタル放送受信装置による先行配信番組の視聴時に先行配信番組と本放送番組との差異を示す差異情報を通知する処理の処理手順を示すフローチャートである。
【図１３】第１実施形態に係るデジタル放送受信装置による先行配信番組の視聴時に先行配信番組と本放送番組との差異を示す差異情報を表示通知する画面の一例を示す図である。
【図１４】第１実施形態に係るデジタル放送受信装置による放送番組の視聴時に先行配信番組と本放送番組との差異を示す差異情報を通知する処理の処理手順を示すフローチャートである。
【図１５】第１実施形態に係るデジタル放送受信装置による本放送番組の視聴時に先行配信番組と本放送番組との差異を示す差異情報を表示通知する画面の一例を示す図である。
【図１６】第１実施形態に係るデジタル放送受信装置による番組情報の表示時またはＥＰＧの表示時に先行配信番組と本放送番組との差異を示す差異情報を表示する処理の処理手順を示すフローチャートである。
【図１７】第１実施形態に係るデジタル放送受信装置による番組情報の表示時またはＥＰＧの表示時に先行配信番組と本放送番組との差異を示す差異情報をＥＰＧ上に表示する画面の一例を示す図である。
【図１８】第１実施形態に係るデジタル放送受信装置の先行配信番組と本放送番組との差異に関する差異情報通知制御機能を説明する図である。
【図１９】第２実施形態に係るデジタル放送受信装置による先行配信番組の番組情報をＳＩ（番組配列情報）から取得する場合の放送番組の番組情報の記憶処理の処理手順を示すフローチャートである。
【図２０】第２実施形態に係るデジタル放送受信装置による先行配信番組の番組情報をＳＩ（番組配列情報）から取得する場合の先行配信番組の番組終了時の先行配信番組の番組情報を削除する処理の処理手順を示すフローチャートである。
【図２１】第２実施形態に係るデジタル放送受信装置による先行配信番組の番組情報をＳＩ（番組配列情報）から取得する場合の本放送番組の終了時の先行配信番組の番組情報を削除する処理の処理手順を示すフローチャートである。
【図２２】第３実施形態に係るデジタル放送受信装置による先行配信番組に未視聴部分が存在した場合に行う表示通知制御処理の処理手順を示すフローチャートである。
【図２３】第１実施形態に係る差異情報通知制御部の詳細な機能構成を示すブロック図である。
【符号の説明】
【０１３６】
１００    デジタル放送受信装置
２３０    通信制御部
２３１    番組情報提供部
２３２    ＶＯＤ再生制御部
２３３    先行配信番組制御部
２３４    先行配信番組-本放送番組差異判定部
２３５    放送番組情報取得部
２３６    差異情報通知制御部
４０１    放送番組情報取得部
４０２    放送番組情報記憶部
５０１    先行配信番組検出部
５０２    先行配信番組情報取得部
５０３    先行配信番組情報記憶部
５０４    先行配信番組視聴履歴制御部
８０１    本放送番組情報提供部
８０２    先行配信番組情報提供部
１１００    設定画面
１８０１    差異情報通知設定部
１８０２    通知タイミング決定部
１８０３    差異情報通知判定部
１８０４    差異情報通知部
【図１】
2010109487.tif 000003
【図２】
2010109487.tif 000004
【図３】
2010109487.tif 000005
【図４】
2010109487.tif 000006
【図５】
2010109487.tif 000007
【図６】
2010109487.tif 000008
【図７】
2010109487.tif 000009
【図８】
2010109487.tif 000010
【図９】
2010109487.tif 000011
【図１０】
2010109487.tif 000012
【図１１】
2010109487.tif 000013
【図１２】
2010109487.tif 000014
【図１３】
2010109487.tif 000015
【図１４】
2010109487.tif 000016
【図１５】
2010109487.tif 000017
【図１６】
2010109487.tif 000018
【図１７】
2010109487.tif 000019
【図１８】
2010109487.tif 000020
【図１９】
2010109487.tif 000021
【図２０】
2010109487.tif 000022
【図２１】
2010109487.tif 000023
【図２２】
2010109487.tif 000024
【図２３】
2010109487.tif 000025